(57)【要約】【課題】回転リールの回転駆動時に発生する作動音が低く抑制される遊技機用リールユニットの提供。【解決手段】複数の回転リール３０に表示された図柄が特定の組合せとなったときに入賞とする遊技機１に設けられる支持部材３２と、回転リール３０を回転駆動するモータ３３との間にモータ３３が発生する振動を吸収する弾性体からなる緩衝部材３４を設け、この緩衝部材３４でモータ３３の振動や、回転リール３０の振動を吸収する。これにより、支持部材３２への振動伝達が抑制され、支持部材３２の共振や激しい振動を防止し、支持部材３２が共鳴板となることをなくす。従って、支持部材３２によって、モータ３３及び回転リール３０が発生する作動音が増幅されず、回転リール３０を回転駆動させても、遊技機１から大きな作動音が発生しなくなる。【選択図】　　図２
2004089547.tif 000002
【特許請求の範囲】
【請求項１】
フレームに組み付けられる複数の支持部材と、これらの支持部材の各々にそれぞれ取り付けられる複数のモータと、これらのモータの各回転軸に取り付けられることにより、当該モータを介して前記支持部材の各々にそれぞれ回転駆動可能に支持される複数の回転リールとを備えた遊技機用リールユニットであって、
前記モータと前記支持部材との間に、前記モータが発生する振動を吸収する弾性体からなる緩衝部材が設けられていることを特徴とする遊技機用リールユニット。
【請求項２】
前記支持部材は、前記回転リールの回転軸と直交する平面を有する平板状の部材であるとともに開口部を備え、
前記緩衝部材は、前記開口部に嵌め込まれた状態で前記支持部材に支持されていることを特徴とする請求項１記載の遊技機用リールユニット。
【請求項３】
前記緩衝部材に前記モータが取り付けられていることを特徴とする請求項２記載の遊技機用リールユニット。
【請求項４】
前記緩衝部材は、その中央部分が開口された枠状の部材であり、前記緩衝部材の中央部分の開口には、前記モータが取り付けられた取付マウント部材が嵌め込まれていることを特徴とする請求項２記載の遊技機用リールユニット。
【発明の詳細な説明】
【０００１】
【発明の属する技術分野】
本発明は、回転駆動された複数の回転リールを適宜停止させ、これらの回転リールに表示された図柄が特定の組合せとなったときに入賞とする、スロットマシン等の遊技機に利用される遊技機用リールユニットに関する。
【０００２】
【従来の技術】
従来から、スロットマシンやパチンコ遊技機等の遊技機は、人々に娯楽を提供するための手段として利用されている。このうち、スロットマシンは、複数種類の図柄が記されるとともに回転駆動可能に設けられた複数の回転リールを備えた遊技機となっている。このような遊技機では、メダルを投入して遊技を開始し、回転駆動させた複数の回転リールを適宜停止させ、これらの回転リールに表示された図柄が特定の組合せとなったときに入賞となる。そして、入賞すると、入賞した役に応じた数のメダルが遊技機から払い出されることとなる。
【０００３】
複数の回転リールを備えた遊技機には、これらの回転リールを回転自在に支持するために、これらの回転リールを軸支するリールユニットが設けられている。このリールユニットには、前述の回転リールの他に、四角枠型のフレームと、このフレームに並設されるとともに平板状に形成された複数の支持部材と、各支持部材にそれぞれ固定されるステッピングモータとが設けられている。そして、各ステッピングモータの回転軸には、当該ステッピングモータが駆動する回転リールが取り付けられている。また、支持部材の側面の中央部分には、回転軸とは反対側の端面が当接された状態で、ステッピングモータがネジ止めされている。
【０００４】
ここで、支持部材の全長は、回転リールの回転軌道内に障害物が配置されないように、回転リールの直径よりも若干大きくなっており、支持部材をスロットマシンの筐体側に固定すると、回転リールが自由に回転できるようになっている。また、ステッピングモータの直径は、回転リールの直径よりもかなり小さくなっている。このため、支持部材の側面は、ステッピングモータの端面が当接している部分よりも、当接するものが何もないために、むき出しになった部分の方が大幅に広くなっている（例えば、特許文献１参照）。
【０００５】
【特許文献１】
特願２００１−３３７２３９号
【０００６】
【発明が解決しようとする課題】
このような遊技機では、支持部材にステッピングモータが直接取り付けられているので、ステッピングモータの駆動により発生した振動や、回転リールの回転により発生した振動がそのまま支持部材に伝達されてしまう。
また、支持部材のむき出しになった部分は、容易に振動可能な状態となっているうえ、ステッピングモータが当接する部分よりも、面積が大幅に広いので、ステッピングモータ及び回転リールが発生する振動と共振しやすい状態にある。
このため、支持部材が共鳴板となって、ステッピングモータ及び回転リールが発生する作動音を増幅するので、回転リールを回転駆動させると、遊技機から大きな作動音が発生するという問題がある。
【０００７】
そこで、各請求項にそれぞれ記載された各発明は、上記した従来の技術の有する問題点に鑑みてなされたものであり、その目的とするところは、回転リールの回転駆動時に発生する作動音が低く抑制される遊技機用リールユニットを提供することである。
【０００８】
【課題を解決するための手段】
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【０００９】
（請求項１）
（特徴点）
請求項１記載の発明は、次の点を特徴とする。
すなわち、請求項１記載の発明は、フレーム（３１）に組み付けられる複数の支持部材（３２）と、これらの支持部材（３２）の各々にそれぞれ取り付けられる複数のモータ（３３）と、これらのモータ（３３）の各回転軸（３０Ａ　）に取り付けられることにより、当該モータ（３３）を介して前記支持部材（３２）の各々にそれぞれ回転駆動可能に支持される複数の回転リール（３０）とを備えた遊技機用リールユニットであって、前記モータ（３３）と前記支持部材（３２）との間に、前記モータ（３３）が発生する振動を吸収する弾性体からなる緩衝部材（３４）が設けられていることを特徴とする。
【００１０】
（作用）
本発明によれば、モータ（３３）と支持部材（３２）との間に介装されている緩衝部材（３４）が、モータ（３３）の駆動により発生した振動や、回転リール（３０）の回転により発生した振動を吸収するので、これらの振動の支持部材への伝達が抑制され、モータ（３３）及び回転リール（３０）の振動により、支持部材（３２）が激しく振動することがなく、共振もしなくなる。
このため、支持部材（３２）が共鳴板として作用することがなくなるので、支持部材（３２）によって、モータ（３３）及び回転リール（３０）が発生する作動音が増幅されることがなく、回転リール（３０）を回転駆動させても、遊技機（１）から大きな作動音が発生しなくなる。
【００１１】
（請求項２）
（特徴点）
請求項２記載の発明は、前述した請求項１に記載の発明において、次の特徴点を備えているものである。
すなわち、請求項２記載の発明は、前記支持部材（３２）として、前記回転リール（３０）の回転軸（３０Ａ　）と直交する平面を有する平板状の部材であるとともに開口部（６１）を備えたものを設け、前記緩衝部材（３４）を、前記開口部（６１）に嵌め込んだ状態で前記支持部材（３２）に支持させたことを特徴とする。
【００１２】
（作用）
本発明によれば、平板状の部材からなる支持部材（３２）を採用したので、支持部材（３２）を作製する際の加工が簡単に行え、支持部材（３２）の作製が容易となる。また、支持部材（３２）に開口部（６１）を設け、この開口部（６１）に緩衝部材（３４）を嵌め込んで支持部材（３２）に取り付けるようにしたので、緩衝部材（３４）は、簡単な取付構造で取付可能となるうえ、互いに直行する三方向の振動を吸収することができ、作動音の抑制効果が充分得られるようになる。
【００１３】
（請求項３）
（特徴点）
請求項３記載の発明は、前述した請求項２に記載の発明において、次の特徴点を備えているものである。
すなわち、請求項３記載の発明は、前記緩衝部材（３４）に前記モータ（３３）が取り付けられていることを特徴とする。
【００１４】
（作用）
本発明によれば、弾性体からなるために、そのままでは自己の形状を維持できない緩衝部材（３４）であっても、緩衝部材（３４）を支持部材（３２）の開口部（６１）に嵌め込み、この状態で緩衝部材（３４）が開口部（６１）から外れないようにすれば、緩衝部材（３４）にモータ（３３）の荷重が加わっても、緩衝部材（３４）の大きな変形が防止されるので、緩衝部材（３４）にモータ（３３）の荷重を支持させることができ、緩衝部材（３４）でモータ（３３）の支持機能及び振動吸収機能の両方が充分確保されるようになる。これにより、緩衝部材（３４）でモータ（３３）の取付部材を兼用でき、部品点数が低減され、回転リール（３０）まわりの組立作業が容易になる。
【００１５】
（請求項４）
（特徴点）
請求項４記載の発明は、前述した請求項２に記載の発明において、次の特徴点を備えているものである。
すなわち、請求項４記載の発明は、前記緩衝部材（３４）として、その中央部分が開口（７１）された枠状の部材を設け、前記緩衝部材（３４）の中央部分の開口（７１）に、前記モータ（３３）が取り付けられた取付マウント部材（７２）を嵌め込んだことを特徴とする。
【００１６】
（作用）
本発明によれば、枠状に形成した緩衝部材（３４）を、支持部材（３２）及び取付マウント部材（７２）の間に介装するようにしたので、緩衝部材（３４）の断面寸法を小さく設定でき、これにより、緩衝部材（３４）の大きな変形が防止される。このため、柔軟な弾性体で緩衝部材（３４）を形成しても、緩衝部材（３４）のモータ（３３）の支持機能を損なわれずに、その振動吸収機能を向上することができ、優れた作動音抑制効果が得られるようになる。
【００１７】
【発明の実施の形態】
以下、本発明の実施の形態を図面に基づき説明する。
（第１実施形態）
（図面の説明）
図１ないし図４は、本発明の実施の形態としての第１実施形態を示すものである。図１は、本第１実施形態に係る遊技機を示す正面図、図２は、本第１実施形態に係るリールユニットを示す分解斜視図、図３は、本第１実施形態に係る支持部材を示す側面図、図４は、本第１実施形態の要部を示す拡大断面図である。
【００１８】
（スロットマシン１）
本第１実施形態に係る遊技機であるスロットマシン１は、図１に示すように、直方体の箱状に形成された筐体２を備えている。この筐体２は、３個の回転リール３０が横並びに設けられたリールユニット３を内蔵したものである。筐体２の前面部分には、そのほぼ中央に図柄表示窓２０Ａ　を備えた前面パネル２０が当該全面部分を覆うように設けられている。
【００１９】
また、図柄表示窓２０Ａ　は、３個すべての回転リール３０の回転が停止した際に、縦横３個ずつ配列された計９個の図柄が表示できるように形成されている。
具体的には、左側の回転リール３０の回転が停止すると、図柄表示窓２０Ａ　の左側部分の上段、中段及び下段にそれぞれ１個ずつ、合計３個の図柄が表示されるようになっている。中央及び右側の回転リール３０についても同様に、上段、中段及び下段にそれぞれ１個ずつ、合計３個の図柄が表示されるようになっている。これにより、３個すべての回転リール３０の回転が停止すると、図柄表示窓２０Ａ　には、縦横各３個の計９個からなる図柄が表示可能となっている。
この際、図柄表示窓２０Ａ　に表示された縦横各３個の計９個からなる図柄の配列パターンが、いわゆる「出目」である。
【００２０】
また、図柄表示窓２０Ａ　の下方には、貯留メダルを投入するためのベットスイッチ２１や、貯留メダルを払い出すための精算スイッチ２２や、回転リール３０の回転を開始させるためのスタートスイッチ２３や、回転リール３０の回転を停止させるためのストップスイッチ２４などが設けられている。
また、図柄表示窓２０Ａ　の右方には、液晶ディスプレイ２５が設けられ、また、図柄表示窓２０Ａ　の上方には、演出用ランプ２６が設けられている。
また、前面パネル２０の下部には、払出口２７が設けられている。この払出口２７の下方には、受け皿２８が設けられ、払出口２７の図中右方には、演出音を発するスピーカ２９が設けられている。
【００２１】
（リールユニット３）
リールユニット３は、本発明に基づく遊技機用リールユニットであって、図２に示すように、四角形の筒状に形成されたフレーム３１と、このフレーム３１に組み付けられる３枚の支持部材３２と、各支持部材３２にそれぞれ固定されるモータであるステッピングモータ３３と、ステッピングモータ３３及び支持部材３２の間に設けられるとともに、ステッピングモータ３３が発生する振動を吸収する弾性体からなる緩衝部材３４とを備えている。これらのステッピングモータ３３の各回転軸には、それぞれ回転リール３０が固定されている。
【００２２】
（フレーム３１）
フレーム３１には、当該フレーム３１の上部を覆う四角平板状の天板４１と、この天板４１と対向する底部に配置された四角平板状の底板４２と、互いに対向するとともに四角平板状に形成された２枚の側板４３とが設けられている。このうち、２枚の側板４３は、天板４１及び底板４２の端縁同士を連結している。また、天板４１と底板４２との間には、３枚の支持部材３２が所定間隔をあけて側板４３と平行に固定されている。ここで、各ステッピングモータ３３は、各回転リール３０の一部がフレーム３１の開口部から突出するように、支持部材３２の中央部分に配置されている。
【００２３】
また、天板４１の前縁部分は、フレーム３１の外側にＬ字形に折り曲げられ、これにより、天板４１には、正面を向いた前面を有する外方突出部４４が形成されている。この外方突出部４４の前面には、４つのネジ孔４５が設けられている。すなわち、外方突出部４４の端部近傍に各１つのネジ孔４５が設けられ、外方突出部４４の前面を長手方向に３等分する位置に各１つのネジ孔４５（図示略）が設けられている。
【００２４】
そして、天板４１の奥行方向における中間位置には、支持部材３２を係止するために、４つの係止部４６が設けられている。これらの係止部４６の各々は、天板４１の一部分を厚さ方向に沿ってフレーム３１の内側へ押し出すことにより、天板４１の内面から台形状に突出するとともに、Ｕ字形の断面形状を有するものである。また、各係止部４６は、該当するネジ孔４５と幅方向における同位置に配置され、Ｕ字形の断面形状の内部に、支持部材３２に設けられた後述する被係止部５６が挿通可能となっている。
【００２５】
一方、底板４２の前縁部分は、天板４１の前縁部分と同様に、フレーム３１の外側にＬ字形に折り曲げられ、これにより、底板４２には、正面を向いた前面を有する外方突出部４７が形成されている。この外方突出部４７の前面には、天板４１の外方突出部４４と同様に、４つのネジ孔４５が設けられている。すなわち、外方突出部４７の端部近傍に各１つのネジ孔４５が設けられ、外方突出部４７の前面を長手方向に３等分する位置に各１つのネジ孔４５（図示略）が設けられている。
【００２６】
そして、底板４２の奥行方向における中間位置には、天板４１と同様に、支持部材３２を係止するために、４つの係止部４６（図示略）が設けられている。これらの係止部４６の各々は、底板４２の一部分を厚さ方向に沿ってフレーム３１の内側へ押し出すことにより、底板４２の内面から台形状に突出するとともに、Ｕ字形の断面形状を有するものである。また、各係止部４６は、天板４１側の係止部４６と同様に、該当するネジ孔４５と幅方向における同位置に配置され、Ｕ字形の断面形状の内部に、支持部材３２に設けられた後述する被係止部５６が挿通可能となっている。
【００２７】
（支持部材３２）
支持部材３２は、四角平板状に形成され、その前縁部分がＬ字形に折り曲げられ、これにより、フレーム３１の正面を向いた前面を有する前部突出部５１が形成されている。前部突出部５１の両端には、ネジ孔４５と螺合するネジ５２を挿通させる挿通孔５３が形成されている。
また、支持部材３２の後縁部分は、Ｌ字形に折り曲げられ、これにより、フレーム３１の背面を向いた後面を有する後部突出部５４が形成されている。後部突出部５４の両端部分は、切り欠き部５５により支持部材３２の本体部分から分離され、更に、後方へＬ字形に折り曲げられ、これにより、天板４１及び底板４２と平行な被係止部５６が設けられている。被係止部５６は、前述したように、天板４１及び底板４２の係止部４６に挿通されて係止されるものである。
【００２８】
ここで、支持部材３２は、フレーム３１の天板４１及び底板４２に設けられた係止部４６に、その被係止部５６を挿通させた状態で、その挿通孔５３にネジ５２を挿通させ、このネジ５２を天板４１及び底板４２に設けられたネジ孔４５と螺合させることで、フレーム３１に取り付けられている。なお、フレーム３１の天板４１及び底板４２のそれぞれに４つずつ設けられたネジ孔４５及び係止部４６のうち、フレーム３１への取り付けに利用されているものは、図中右方に設けられた三つのネジ孔４５及び係止部４６であり、図中左端に設けられたネジ孔４５及び係止部４６は利用されない。
【００２９】
支持部材３２は、図３及び図４にも示すように、その略中央に正方形状に形成された開口部６１を備えたものとなっている。開口部６１には、当該開口部６１に応じて正方形状に形成された緩衝部材３４が嵌め込まれている。この状態で、ステッピングモータ３３は、緩衝部材３４を介して支持部材３２に支持されている。
ここで、緩衝部材３４を構成する弾性体としては、例えば、ウレタン樹脂や熱可塑性エラストマ等からなる比較的硬質の弾性体が採用されている。これにより、緩衝部材３４は、支持部材３２とステッピングモータ３３との間に配置され、ステッピングモータ３３の荷重を支持するものとなっても、著しい変形が生じないようになっている。また、支持部材３２は、図４に示すように、回転リール３０の回転軸であるステッピングモータ３３の回転軸３０Ａ　と直交する平面３２Ａ　を有するものとなっている。
【００３０】
緩衝部材３４は、図３及び図４に示すように、開口部６１の内法よりも若干大きな外法を有する部材である。すなわち、緩衝部材３４の端面３４Ａ　には、その全周に渡って溝６２が形成されている。このような溝６２に対し、支持部材３２に設けられた開口部６１の内周面６３には、内側へ突出する突条部６４が全周に渡って形成されている。そして、緩衝部材３４の互いに対向する一対の端面３４Ａ　の面間寸法である外法Ｌ１は、支持部材３２側の突条部６４の互いに対向する端面６４Ａ　の面間寸法である内法Ｌ２よりも若干大きくなっている。このような緩衝部材３４の溝６２の内部には、支持部材３２側の突条部６４が嵌合している。この嵌合により、緩衝部材３４が支持部材３２に取り付けられている。
【００３１】
また、緩衝部材３４には、ネジ６５が挿通される４つの挿通孔６６がその対角線上に設けられている。各ネジ６５は、図４に示すように、挿通孔６６に挿通された状態で、その先端がステッピングモータ３３のケーシング３３Ａ　に螺合されている。これにより、ステッピングモータ３３が緩衝部材３４に取り付けられている。
【００３２】
前述のような本実施形態によれば、次のような効果が得られる。
すなわち、ステッピングモータ３３と支持部材３２との間に、ステッピングモータ３３が発生する振動を吸収する弾性体からなる緩衝部材３４を設け、緩衝部材３４で、ステッピングモータ３３の駆動により発生した振動や、回転リール３０の回転により発生した振動を吸収するようにしたので、これらの振動の支持部材３２への伝達が抑制され、ステッピングモータ３３及び回転リール３０の振動により、支持部材３２が激しく振動することがなく、共振もしなくなる。
このため、支持部材３２が共鳴板として作用することがなくなるので、支持部材３２によって、ステッピングモータ３３及び回転リール３０が発生する作動音が増幅されることがなく、回転リール３０の回転駆動の際における、スロットマシン１からの大きな作動音の発生を防止することができる。
【００３３】
また、平板状の支持部材３２を採用したので、支持部材３２を作製する際の加工が簡単に行え、支持部材３２を容易に作製することができる。また、支持部材３２に開口部６１を設け、この開口部６１に緩衝部材３４を嵌め込むことにより、緩衝部材３４を支持部材３２に支持させるようにしたので、緩衝部材３４は、簡単な取付構造で取付可能となるので、この点からも、支持部材３２を容易に作製することができる。そのうえ、開口部６１に嵌め込まれた緩衝部材３４は、互いに直行する三方向の振動を吸収することができるので、簡単な取付構造でも、作動音の抑制効果を充分に得ることができる。
【００３４】
さらに、緩衝部材３４にステッピングモータ３３を取り付け、緩衝部材３４にステッピングモータ３３の取付部材を兼用させたので、部品点数が低減され、回転リール３０まわりの組立作業を容易にすることができる。
ここで、弾性体からなるために、そのままでは自己の形状を維持できない緩衝部材３４であっても、緩衝部材３４を支持部材３２の開口部６１に嵌め込むとともに、緩衝部材３４の溝６２の内部に、支持部材３２側の突条部６４を嵌合させ、この嵌合により、緩衝部材３４が開口部６１から外れないようにしたので、緩衝部材３４にステッピングモータ３３の荷重が加わっても、緩衝部材３４の大きな変形が防止される。このため、緩衝部材３４にステッピングモータ３３の荷重を支持させることができ、緩衝部材３４は、ステッピングモータ３３の支持機能及び振動吸収機能の両方が充分確保可能となり、この点からも、作動音の抑制効果を充分に得ることができる。
【００３５】
（第２実施形態）
（図面の説明）
図５ないし図７は、本発明の第２実施形態を示すものである。図５は、本第２実施形態に係るリールユニットを示す分解斜視図、図６は、本第２実施形態に係る支持部材を示す側面図、図７は、本第２実施形態の要部を示す拡大断面図である。なお、以下の説明では、既に説明した部材と同じ部材には同一符号を付し、その説明を省略若しくは簡略にする。
【００３６】
本第２実施形態は、前記第１実施形態におけるステッピングモータ３３の取付部材でもあった緩衝部材３４を、ステッピングモータ３３の取付機能が省略された緩衝部材７０としたものである。
すなわち、緩衝部材７０は、図５に示すように、その中央部分が開口されて開口部７１を備えた枠状の部材である。緩衝部材７０の中央部分の開口部７１には、ステッピングモータ３３が取り付けられる取付マウント部材７２が嵌め込まれるようになっている。そして、取付マウント部材７２が嵌め込まれた緩衝部材７０は、図６及び図７にも示すように、支持部材３２の開口部６１に嵌め込まれるようになっている。
【００３７】
ここで、緩衝部材７０は、図６及び図７に示すように、支持部材３２の開口部６１の内法よりも若干大きな外法を有する部材である。すなわち、緩衝部材７０の外周面である端面７０Ａ　には、その全周に渡って、外側へ突出する突条部７３が形成されている。このような突条部７３に対し、支持部材３２に設けられた開口部６１の内周面６３には、溝７４が全周に渡って形成されている。そして、緩衝部材７０の突条部７３の互いに対向する一対の端面７３Ａ　の面間寸法である外法Ｌ３は、支持部材３２の互いに対向する内周面６３の面間寸法である内法Ｌ４よりも若干大きくなっている。このような支持部材３２の溝７４の内部には、緩衝部材７０側の突条部７３が嵌合している。この嵌合により、緩衝部材７０が支持部材３２に取り付けられている。
【００３８】
また、取付マウント部材７２は、図６及び図７の如く、緩衝部材７０の開口部７１の内法よりも若干大きな外法を有する部材である。すなわち、緩衝部材７０の内周面である端面７０Ｂ　には、その全周に渡って、外側へ突出する突条部７５が形成されている。このような突条部７５に対し、取付マウント部材７２の外周面７６には、溝７７が全周に渡って形成されている。そして、緩衝部材７０の突条部７５の互いに対向する一対の端面７５Ａ　の面間寸法である外法Ｌ５は、取付マウント部材７２の互いに対向する外周面７６の面間寸法である内法Ｌ６よりも若干小さくなっている。このような取付マウント部材７２の溝７７の内部には、緩衝部材７０側の突条部７５が嵌合している。この嵌合により、取付マウント部材７２が緩衝部材７０に取り付けられている。
【００３９】
また、取付マウント部材７２には、ネジ６５が挿通される４つの挿通孔７８がその対角線上に設けられている。各ネジ６５は、図７に示すように、挿通孔７８に挿通された状態で、その先端がステッピングモータ３３のケーシング３３Ａ　に螺合されている。これにより、ステッピングモータ３３が取付マウント部材７２に取り付けられている。
なお、緩衝部材７０を構成する弾性体としては、例えば、ウレタン樹脂や熱可塑性エラストマ等からなる比較的軟質の弾性体が採用されている。これにより、緩衝部材７０は、微弱な振動も吸収可能となっている。
【００４０】
このような本第２実施形態においても、前記第１実施形態と同様な作用、効果を奏することができる他、次のような効果を付加できる。
すなわち、本第２実施形態によれば、枠状に形成した緩衝部材７０を、支持部材３２及び取付マウント部材７２の間に介装するようにしたので、緩衝部材７０の断面寸法を小さく設定でき、これにより、緩衝部材７０の大きな変形が防止される。このため、柔軟な弾性体で緩衝部材７０を形成しても、緩衝部材７０のステッピングモータ３３の支持機能を損なわずに、その振動吸収機能を向上することができ、優れた作動音抑制効果を得ることができるという効果を付加できる。
【００４１】
なお、本発明は、前記実施形態に限定されるものではなく、本発明の目的を達成できる範囲における変形及び改良などをも含むものである。
例えば、緩衝部材としては、平面形状が正方形のものに限らず、平面形状が他の多角形や円形のものでもよく、緩衝部材の具体的な形状は、実施にあたり適宜選択できる。また、緩衝部材としては、ウレタン樹脂や熱可塑性エラストマ等の合成樹脂製のものに限らず、弾性変形容易な形状に成形された金属製のものでもよく、緩衝部材の具体的な材質、形状及び構造は、実施にあたり、振動を吸収できる範囲において適宜選択できる。
【００４２】
【発明の効果】
本発明は、以上のように構成されているので、以下に記載されるような効果を奏する。
（請求項１の効果）
請求項１記載の発明によれば、次のような効果を奏する。
すなわち、請求項１記載の発明によれば、モータと支持部材との間に介装されている緩衝部材が、モータの駆動により発生した振動や、回転リールの回転により発生した振動を吸収するので、これらの振動の支持部材への伝達が抑制され、モータ及び回転リールの振動により、支持部材の激しい振動を防止することができ、その共振も防止することができる。
このため、支持部材が共鳴板として作用することがなくなるので、支持部材によって、モータ及び回転リールが発生する作動音が増幅されることがなく、回転リールを回転駆動させても、遊技機から大きな作動音が発生しなくなり、遊技機の作動音を低く抑制することができる。
【００４３】
（請求項２の効果）
請求項２記載の発明によれば、上記した請求項１記載の発明の効果に加え、次のような効果を奏する。
すなわち、請求項２記載の発明によれば、平板状の部材からなる支持部材を採用したので、支持部材を作製する際の加工が簡単に行え、支持部材の作製が容易となる。また、支持部材に開口部を設け、この開口部に緩衝部材を嵌め込んで支持部材に取り付けるようにしたので、緩衝部材は、簡単な取付構造で取付可能となるうえ、互いに直行する三方向の振動を吸収することができ、作動音の抑制効果を充分得ることができる。
【００４４】
（請求項３の効果）
請求項３記載の発明によれば、上記した請求項２記載の発明の効果に加え、次のような効果を奏する。
すなわち、請求項３記載の発明によれば、弾性体からなるために、そのままでは自己の形状を維持できない緩衝部材であっても、緩衝部材を支持部材の開口部に嵌め込み、この状態で緩衝部材が開口部から外れないようにすれば、緩衝部材にモータの荷重が加わっても、緩衝部材の大きな変形が防止されるので、緩衝部材にモータの荷重を支持させることができ、緩衝部材でモータの支持機能及び振動吸収機能の両方が充分確保されるようになる。これにより、緩衝部材でモータの取付部材を兼用でき、部品点数が低減され、回転リールまわりの組立作業を容易にすることがきでる。
【００４５】
（請求項４の効果）
請求項４記載の発明によれば、上記した請求項２記載の発明の効果に加え、次のような効果を奏する。
すなわち、請求項４記載の発明によれば、緩衝部材を枠状に形成するとともに支持部材の開口部に嵌め込んで固定するようにしたので、緩衝部材を枠部分の断面寸法を小さく設定すれば、緩衝部材の大きな変形が防止される。このため、柔軟な弾性体で緩衝部材を形成しても、緩衝部材のモータの支持機能を損なわずに、その振動吸収機能を向上することができ、優れた作動音抑制効果を得ることができる。
【図面の簡単な説明】
【図１】本発明の第１実施形態に係る遊技機を示す正面図である。
【図２】前記第１実施形態に係るリールユニットを示す分解斜視図である。
【図３】前記第１実施形態に係る支持部材を示す側面図である。
【図４】前記第１実施形態の要部を示す拡大断面図である。
【図５】本発明の第２実施形態に係るリールユニットを示す分解斜視図である。
【図６】前記第２実施形態に係る支持部材を示す側面図である。
【図７】前記第２実施形態の要部を示す拡大断面図である。
【符号の説明】
１　遊技機としてのスロットマシン
３０　回転リール
３０Ａ　回転軸
３１　フレーム
３２　支持部材
３３　モータであるステッピングモータ
３４，７０　緩衝部材
６１　支持部材の開口部
７１　緩衝部材の開口である開口部
７２　取付マウント部材
【図１】
2004089547.tif 000003
【図２】
2004089547.tif 000004
【図３】
2004089547.tif 000005
【図４】
2004089547.tif 000006
【図５】
2004089547.tif 000007
【図６】
2004089547.tif 000008
【図７】
2004089547.tif 000009